(57)【特許請求の範囲】
【請求項１】
集熱管の外周に同心状にガラス製の断熱管を配設してなる二重管構造の集光集熱レシーバであって、前記集光集熱レシーバの端部において、集熱管の外周に断熱管の端部にガラス／コバール金属接続部を介して接続した金属製のベローズを配設し、該ベローズの他端に薄肉金属製の緩衝部材を接続し、該緩衝部材を、ベローズの内周側に沿って断熱管の端部のガラス／コバール金属接続部の位置まで延出させ、屈曲、折返して、集熱管の端部位置において集熱管の外周面に接続したことを特徴とする太陽光集光集熱レシーバ。
【請求項２】
集熱管と断熱管との間に形成された断熱空間が真空となるように、断熱管、ベローズ、緩衝部材及び集熱管の各接続部を密閉構造としたことを特徴とする請求項１に記載の太陽光集光集熱レシーバ。
【請求項３】
集熱管と断熱管との間に形成された断熱空間中で発生する水素ガスを吸着する水素ゲッターを、断熱空間に配置したことを特徴とする請求項１又は２に記載の太陽光集光集熱レシーバ。
【請求項４】
緩衝部材に、放熱フィンを付設したことを特徴とする請求項１、２又は３に記載の太陽光集光集熱レシーバ。
【請求項５】
集光集熱レシーバの端部に、集光された太陽光を遮るシールド板を配設したことを特徴とする請求項１、２、３又は４に記載の太陽光集光集熱レシーバ。
【発明の詳細な説明】
【技術分野】
【０００１】
本発明は、太陽光集光集熱レシーバに関し、特に、集光機構によって集光された太陽光を受光し、内部を流通する熱媒体にエネルギを伝達するようにした太陽光集光集熱レシーバに関するものである。
【背景技術】
【０００２】
従来、集光機構としての断面が放物線形状をなすトラフ型の反射鏡によって太陽光を集熱管に向けて集光し、太陽光集光集熱レシーバの内部を流通する熱媒体にエネルギを伝達するようにした太陽光集熱装置が提案されており（例えば、特許文献１参照。）、また、太陽光集光集熱レシーバについても、集光された太陽光を受光し、内部を流通する熱媒体にエネルギを伝達する集熱管と、この集熱管の外周を断熱空間を形成して覆う断熱管とからなるものが提案されている（例えば、特許文献２及び３参照。）。
【０００３】
このように、従来、太陽光集熱装置については、太陽光の集光効率を上げるために、また、太陽光集光集熱レシーバ自体について、種々の提案がなされており、特に、特許文献３には、太陽光集光集熱レシーバについて、内部を流通する熱媒体にエネルギを伝達する金属製の集熱管と、この集熱管の外周を断熱空間を形成して覆うガラス製の断熱管とからなり、集熱管の端部に、断熱管の端部を、集熱管と断熱管の熱膨張（線膨張）の差を吸収する膨張差吸収機構を介して固着するようにしたものが開示されている。
【先行技術文献】
【特許文献】
【０００４】
【特許文献１】国際公開第９６／２９７４５号
【特許文献２】特開２００４−２３９６０３号公報
【特許文献３】特開２００４−２５１６１２号公報
【発明の概要】
【発明が解決しようとする課題】
【０００５】
ところで、上記従来の膨張差吸収機構の場合、以下の課題があった。
（１）集熱管と断熱管の熱膨張の差の吸収をベローズに対して圧縮方向で行うようにしているため、熱膨張の吸収許容値が小さく、ベローズの長さを長くする必要がある。
（２）集熱管と断熱管の空間にベローズを配置する必要があるが、ベローズの山の高さをこの空間に納めるため、集熱管の外径に対して段熱管の内径が大きくならざるを得ない。
（３）１箇所の端部構造部における円周溶接箇所が５箇所もあり、製作上手数を要する。
（４）ベローズの大半の部分が外から見えない場所に設置されるため、日常点検において、ベローズの健全性の目視確認が困難であり、かつ、ベローズの修理、交換作業においては、一部の溶接箇所が完全に内部に隠れてしまうため、リーク検査に手数を要する。
（５）集熱管と断熱管の半径方向の熱膨張の差を吸収するのに限界があり、半径方向の熱膨張によりベローズに半径方向の応力がかかりやすい。
【０００６】
本発明は、上記従来の太陽光集光集熱レシーバにおける膨張差吸収機構が有する課題に鑑み、簡易かつコンパクトな構造で、集熱管と断熱管の熱膨張の差を確実に吸収することができるようにした太陽光集光集熱レシーバを提供することを目的とする。
【課題を解決するための手段】
【０００７】
上記目的を達成するため、本発明の太陽光集光集熱レシーバは、集熱管の外周に同心状にガラス製の断熱管を配設してなる二重管構造の集光集熱レシーバであって、前記集光集熱レシーバの端部において、集熱管の外周に断熱管の端部にガラス／コバール金属接続部を介して接続した金属製のベローズを配設し、該ベローズの他端に薄肉金属製の緩衝部材を接続し、該緩衝部材を、ベローズの内周側に沿って断熱管の端部のガラス／コバール金属接続部の位置まで延出させ、屈曲、折返して、集熱管の端部位置において集熱管の外周面に接続したことを特徴とする。
【０００８】
この場合において、集熱管と断熱管との間に形成された断熱空間が真空となるように、断熱管、ベローズ、緩衝部材及び集熱管の各接続部を密閉構造とすることができる。
【０００９】
また、集熱管と断熱管との間に形成された断熱空間中で発生する水素ガスを吸着する水素ゲッターを、断熱空間に配置することができる。
【００１０】
また、緩衝部材に、放熱フィンを付設することができる。
【００１１】
また、集光集熱レシーバの端部に、集光された太陽光を遮るシールド板を配設することができる。
【発明の効果】
【００１２】
本発明の太陽光集光集熱レシーバによれば、集光集熱レシーバの端部において、集熱管の外周に断熱管の端部に接続した金属製のベローズを配設し、該ベローズの他端を薄肉金属製の緩衝部材を介して集熱管の外周面に接続することにより、上記従来の太陽光集光集熱レシーバの膨張差吸収機構にあった（１）〜（５）の課題を包括的に解消することができる。特に、集熱管と断熱管の熱膨張の差の吸収をベローズに対して引張り方向で行うようにすることができ、集熱管と断熱管の熱膨張の吸収許容値が大きくなるため、ベローズの長さを短くし、集光集熱レシーバの端部構造を、簡易かつコンパクトな構造とすることができる。
【００１３】
そして、ベローズに接続した緩衝部材を、ベローズに沿って断熱管の端部位置まで延出させ、屈曲、折返して、集熱管の端部位置において集熱管の外周面に接続することにより、集熱管と断熱管の半径方向の熱膨張の差を確実に吸収することができる。
【００１４】
また、集熱管と断熱管との間に形成された断熱空間が真空となるように、断熱管、ベローズ、緩衝部材及び集熱管の各接続部を密閉構造とすることにより、集熱効率を向上することができる。
【００１５】
また、集熱管と断熱管との間に形成された断熱空間中で発生する水素ガスを吸着する水素ゲッターを、断熱空間に配置することにより、熱媒体が高温となることによって断熱空間中で発生する水素ガスを吸着して断熱空間を真空に保ち、断熱空間の断熱性を維持することができる。
【００１６】
また、緩衝部材に、放熱フィンを付設することにより、緩衝部材及びベローズの温度上昇を抑えて、集熱管と断熱管の熱膨張の差を低減することができる。
【００１７】
また、集光集熱レシーバの端部に、集光された太陽光を遮るシールド板を配設することにより、ベローズ及び緩衝部材の温度上昇を抑えて、集熱管と断熱管の熱膨張の差を低減することができる。
【図面の簡単な説明】
【００１８】
【図１】本発明の集光集熱レシーバの第１実施例を示す説明図である。
【図２】同集光集熱レシーバを適用した太陽光集熱装置を示す説明図で、（ａ）は正面図、（ｂ）は側面図である。
【図３】本発明の集光集熱レシーバの第２実施例を示す説明図である。
【図４】本発明の集光集熱レシーバの第３実施例を示す説明図である。
【図５】本発明の集光集熱レシーバの第４実施例を示す説明図である。
【発明を実施するための形態】
【００１９】
以下、本発明の集光集熱レシーバの実施の形態を、図面に基づいて説明する。
【実施例１】
【００２０】
図１〜図２に、本発明の集光集熱レシーバの第１実施例を示す。
この集光集熱レシーバは、集光機構としての断面が放物線形状をなすトラフ型の反射鏡Ｍｉによって集光された太陽光を受光し、内部を流通する熱媒体にエネルギを伝達する金属製の集熱管１と、この集熱管１の外周を断熱空間６を形成して覆うガラス製の断熱管２とからなり、集熱管１の両端部に、集熱管１の接続部を突出させた状態で、断熱管２の両端部を固着するようにしている。
【００２１】
この場合において、反射鏡Ｍｉ及び集熱管１からなる集光集熱レシーバは、基台の支持部Ｓに、集光集熱レシーバ及び反射鏡Ｍｉの中心軸Ｌ１が南北軸に沿うように、かつ、集光集熱レシーバ及び反射鏡Ｍｉを共通の揺動軸を介して揺動可能に設置するようにする。
そして、集光集熱レシーバ及び反射鏡Ｍｉの二等分線Ｌ２を含む面の延長方向が常に太陽の方向を指向するように、太陽の動きに従って揺動軸を回動させる太陽追尾機構Ｍを設けるようにしている。
【００２２】
これにより、太陽光Ｓｂが、常に反射鏡Ｍｉの二等分線Ｌ２を含む面と平行に反射鏡Ｍｉに入射し、反射光が、反射鏡Ｍｉの焦点の位置に架設された集熱管１の中心軸Ｌ１に集光されるようにする。
【００２３】
なお、本実施例において、集光機構として、断面が放物線形状をなすトラフ型の反射鏡Ｍｉを用いるようにしたが、複数の長尺の平面分割鏡からなるフレネルミラー型の反射鏡のほか、リニアフレネルレンズ等の公知の集光機構を用いることができる。
【００２４】
また、集光集熱レシーバは、集光機構としての反射鏡Ｍｉによって集光された太陽光を受光し、内部を流通する熱媒体にエネルギを伝達する集熱管１と、この集熱管１の外周を断熱空間６を形成して覆う断熱管２とからなるものを用いるようにしている。
【００２５】
より具体的には、集熱管１の表面に太陽光熱吸収膜として、酸化クロムメッキ層を施すようにしている。
太陽光熱吸収膜としての酸化クロムメッキ層は、酸洗いした鋼管からなる集熱管１の表面に酸化クロムメッキ処理を施すことにより、比較的低コストで形成することができる。
なお、太陽光熱吸収膜の材質や形成方法は、これに限定されず、集熱管１の下地処理は酸洗のほか、バフ研磨やエッチングを用いたり、材質としては、酸化クロムのほか、ニッケル系等の材料を用いたり、形成方法としては、メッキ処理のほか、溶射処理、物理蒸着（ＰＶＤ）、塗装等によって太陽光熱の吸収を高めるために表面を黒色に着色したり、適宜の選択吸収膜を施すようにする等、従来、公知のものを採用することができる。
【００２６】
なお、集熱管１には、鋼管の外、ステンレススチール管等の金属管を、また、断熱管２には、コバールガラス管等の硼珪酸ガラス管を好適に用いることができる。
ここで、断熱管２の材料には、耐熱性を有する硼珪酸ガラスを用いるようにしているが、その成分として、酸化バリウムを１％程度含有するものを用いることができる。
【００２７】
また、断熱空間６は、通常、集熱管１と断熱管２の間を真空にすることにより、断熱を行うようにする。
【００２８】
また、集熱管１の内部を流通する熱媒体には、数百℃、例えば、４００℃程度の温度まで加熱されて熱媒体として機能を発揮する水、熱媒油、溶融塩等の熱媒体を用いることができる。
【００２９】
ところで、本実施例において、集光集熱レシーバは、金属製の集熱管１の外周にガラス製の断熱管２を配設し、この断熱管２の端部にガラス／コバール金属接続部３を介して金属製のベローズ４を配設し、このベローズ４の他端を薄肉金属製の緩衝部材５を介して集熱管１の外周面に接続するようにしている。
なお、ベローズ４及び緩衝部材５は、鉄、ステンレススチール、アルミニウム等の任意の金属でもって構成することができる。
また、ベローズ４は、溶接タイプ、成形タイプを選択して使用することができる。
これにより、上記従来の膨張差吸収機構にあった（１）〜（５）の課題を包括的に解消することができ、特に、集熱管１と断熱管２の熱膨張の差の吸収をベローズ４に対して引張り方向で行うようにすることができ、集熱管１と断熱管２の熱膨張の吸収許容値が大きくなるため、ベローズ４の長さを短くし、集光集熱レシーバの端部構造を、簡易かつコンパクトな構造とすることができる。
【００３０】
この場合、集熱管１と断熱管２との間に形成された断熱空間６が真空となるように、断熱管２、ガラス／コバール金属接続部３、ベローズ４、緩衝部材５及び集熱管１の各接続部を密閉構造とするようにしている。
これにより、集熱効率を向上することができる。
【００３１】
また、ベローズ４に接続した緩衝部材５は、ベローズ４の内周側に沿って断熱管２の端部位置、具体的には、ガラス／コバール金属接続部３の位置まで延出させ、当該位置で、内周側に屈曲、折返すことによって、特に、ばね性を高めるようにし、さらに、集熱管１の端部位置まで延出させて、当該位置において集熱管１の外周面に接続するようにしている。
これにより、集熱管１と断熱管２の軸方向の熱膨張の差に加えて、半径方向の熱膨張の差を確実に吸収することができる。
【００３２】
また、本実施例の集光集熱レシーバの場合、溶接箇所を、ガラス／コバール金属接続部３とベローズ４との間の溶接箇所７１、ベローズ４と緩衝部材５との間の溶接箇所７２、緩衝部材５と集熱管１との間の溶接箇所７３の合計３箇所とすることができる。
なお、実際の組立てに当たっては、断熱管２、ガラス／コバール金属接続部３、ベローズ４及び緩衝部材５を、予め工場等で溶接等によって一体化しておき、これに集熱管１を通して緩衝部材５と集熱管１との間の溶接箇所７３を溶接することにより製作することができる。
【００３３】
また、集光集熱レシーバの端部に、反射鏡Ｍｉによって集光された太陽光Ｓｂを遮るシールド板８を配設するようにしている。
シールド板８は、集熱管１の露出している端部に接続したり、基台の支持部Ｓに設けることができるが、後述の第４実施例に示すように、集熱管１の熱膨張によって集熱管１とシールド板８の位置関係がずれることによって集熱効率が低下しないように、集熱管１の露出している端部に接続することが望ましい。
なお、シールド板８は、鉄、ステンレススチール、アルミニウム等の任意の金属でもって構成することができる。
これにより、ガラス／コバール金属接続部３、ベローズ４及び緩衝部材５の温度上昇を抑えて、集熱管１と断熱管２の熱膨張の差を低減することができる。
【実施例２】
【００３４】
図３に、本発明の集光集熱レシーバの第２実施例を示す。
この集光集熱レシーバは、熱媒体が高温、例えば、２００℃以上となることによって、集熱管１と断熱管２との間に形成された断熱空間６中で発生する水素ガスを吸着する水素ゲッター９を、断熱空間６、特に限定されるものではないが、例えば、緩衝部材５に配置するようにしたものである。
これにより、熱媒体が高温となることによって断熱空間６中で発生する水素ガスを吸着して断熱空間６を真空に保ち、断熱空間６の断熱性を維持することができる。
なお、本実施例のその他の構成及び作用は、上記第１実施例のものと同様である。
【実施例３】
【００３５】
図４に、本発明の集光集熱レシーバの第３実施例を示す。
この集光集熱レシーバは、緩衝部材５から半径方向に向けて、放熱フィン１０を付設するようにしたものである。
なお、放熱フィン１０は、緩衝部材５と一体成形することが好ましく、鉄、ステンレススチール、アルミニウム等の任意の金属でもって構成することができる。
これにより、緩衝部材５、さらには、ガラス／コバール金属接続部３及びベローズ４の温度上昇を抑えて、集熱管１と断熱管２の熱膨張の差を低減することができる。
なお、本実施例のその他の構成及び作用は、上記第１及び第２実施例のものと同様である。
【実施例４】
【００３６】
図５に、本発明の集光集熱レシーバの第４実施例を示す。
この集光集熱レシーバは、集光集熱レシーバの端部に、反射鏡Ｍｉによって集光された太陽光Ｓｂを遮るシールド板８を集熱管１の露出している端部にスリーブ状の固定部材８１を介して接続するようにしている。
なお、シールド板８には、必要に応じて、雨水や洗浄水がたまるのを防止するための水抜き孔８２を形成することができる。
これにより、集熱管１の熱膨張によって集熱管１とシールド板８の位置関係がずれることによって集熱効率が低下することを防止することができる。
また、シールド板８と固定部材８１とを接続する延設部８３によって、集光集熱レシーバの端部を側方からも覆うことによって、ガラス／コバール金属接続部３、ベローズ４及び緩衝部材５の温度上昇をより確実に抑えて、集熱管１と断熱管２の熱膨張の差を低減することができるとともに、シールド板８の熱を集熱管１へアースすることができる。
なお、本実施例のその他の構成及び作用は、上記第１及び第２実施例のものと同様である。
【００３７】
上記第１〜第４実施例の集光集熱レシーバによれば、従来の太陽光集光集熱レシーバの膨張差吸収機構にあった（１）〜（５）の課題に対応した、以下の作用効果を奏することを期待できる。
（１）ベローズ４の動作方向は、集熱管１とガラス製の断熱管２との熱膨張の差による軸方向の引張り方向となり、例えば、溶接構造の汎用のベローズをそのまま使用することができる。
（２）ベローズ４が断熱管２の内側に入り込んでいないため、断熱管２を小径のもので構成することができ、集光集熱レシーバをコンパクトに構成することができる。
（３）屈曲、折返すことによってばね性を高めた緩衝部材５を採用することにより、集熱管１への溶接箇所７３を含めても、溶接箇所は３箇所にすることができ、構造を簡易化することができる。これにより、製作工数を飛躍的に低減可能となり、さらに、溶接箇所が減ることによりリークポテンシャルの数を減らすことができる。
（４）ベローズ４や、すべての溶接箇所７１、７２、７３は、断熱管２の外側に露出しているため、リーク試験等の検査保守が容易である。
（５）屈曲、折返すことによってばね性を高めた緩衝部材５を採用することにより、半径方向のベローズのような機能を併せ持ち、これにより半径方向の熱膨張に対してベローズ４に負荷応力を与えない。さらに、緩衝部材５は、薄肉金属製のものからなるため、集熱管からの熱伝導距離を十分に確保できる上に、伝熱断面積が小さいため、集熱管１からガラス製の断熱管２への伝導伝熱を小さくし、ガラス／コバール金属接続部３の温度を安全な値にすることができる。また、緩衝部材５は、ガラス／コバール金属接続部３を隠す位置まで延出するようにしているため、集熱管１の外表面からの高温輻射伝熱を緩和するシールド板の役割も果たすことができる。
【００３８】
以上、本発明の集光集熱レシーバについて、その実施例に基づいて説明したが、本発明は上記実施例に記載した構成に限定されるものではなく、その趣旨を逸脱しない範囲において適宜その構成を変更することができるものである。
【産業上の利用可能性】
【００３９】
本発明の集光集熱レシーバは、簡易かつコンパクトな構造で、集熱管と断熱管の熱膨張の差を確実に吸収することができることから、例えば、集光集熱レシーバを流通する熱媒体が高温になり、集熱管と断熱管の熱膨張の差が大きくなる集光集熱レシーバの用途に好適に用いることができる。
【符号の説明】
【００４０】
１    集熱管
２    断熱管
３    ガラス／コバール金属接続部
４    ベローズ
５    緩衝部材
６    断熱空間
７１〜７３  溶接箇所
８    シールド板
８１  シールド板の固定部材
８２  シールド板の水抜き孔
８３  シールド板の延設部
９    水素ゲッター
１０  放熱フィン
【図１】
0005666275.tif 000002
【図２】
0005666275.tif 000003
【図３】
0005666275.tif 000004
【図４】
0005666275.tif 000005
【図５】
0005666275.tif 000006